【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ターゲットに対する共振センサの応答をキャプチャするように動作可能な回路であって、前記共振センサが、共振インピーダンス損失因子と、定常状態振動に対応する共振状態を含む共振状態（共振器振動振幅と共振器振動周波数）とによって特徴付けられる共振器を含み、前記回路が、
負のインピーダンスを有する前記共振器に電流を駆動するように構成される、クラスＤの負のインピーダンス回路要素であって、
共振器振動電圧を受け取り、前記共振器振動周波数に同期した周波数を有するクラスＤスイッチング出力を提供するように構成される比較器と、
制御された負のインピーダンスの大きさに対応するループ制御信号に基づいて駆動電流を出力するように構成される電流駆動回路要素と、
前記共振器に対して駆動電流源をインターフェースするように構成されるＨブリッジ回路要素と、
を含み、
前記共振器が前記負のインピーダンスで駆動されるように、正のフィードバックを維持するために前記比較器のクラスＤスイッチング出力が前記Ｈブリッジ回路要素を制御する、前記クラスＤの負のインピーダンス回路要素と、
前記駆動電流の時間平均が、定常状態振動を維持するために前記センサの共振器損失を実質的に相殺する前記制御された負のインピーダンスの大きさに対応するように、検出されたセンサ共振状態に基づいて前記ループ制御信号を生成するように構成される、ループ制御回路要素と、
を含み、
それによって、ループフィルタとして前記共振器を含み、前記ループ制御信号が前記ターゲットに対する前記センサの応答を表すセンサ応答データに対応するように、負のインピーダンスを制御する、負のインピーダンス制御ループを確立する、回路。
【請求項２】
請求項１に記載の回路であって、
前記検出された共振状態が共振器振動振幅に対応し、前記負のインピーダンス制御ループが、共振器振動振幅を制御することによって少なくとも部分的に負のインピーダンスを制御するように構成される、回路。
【請求項３】
請求項２に記載の回路であって、
前記ループ制御回路要素が、定常状態振動に対応する基準振幅信号に関連する共振器振動振幅における差異に基づいて前記ループ制御信号を提供するように構成される、回路。
【請求項４】
請求項１に記載の回路であって、
前記電流駆動回路要素が、少なくとも２つのレベルの電流駆動を前記センサ共振器に供給するように構成されるマルチレベル電流駆動回路要素を含み、
前記ループ制御回路要素が、前記電流駆動レベルの間の切り替えを制御する、回路。
【請求項５】
ターゲットに対する共振センサの応答をキャプチャするように動作可能なシステムであって、
共振インピーダンス損失因子と、定常状態振動に対応する共振状態を含む共振状態（共振器振動振幅と共振器振動周波数）とによって特徴付けられる共振器を含む,
共振センサと、
前記共振器に結合され、前記ターゲットに対する前記センサの応答をセンサ応答データに変換するように構成される、インダクタンス−データ変換器回路であって、
負のインピーダンスを有する前記共振器に電流を駆動するように構成されるクラスＤの負のインピーダンス回路要素であって、
共振器振動電圧を受け取り、前記共振器振動周波数に同期した周波数を有するクラスＤスイッチング出力を提供するように構成される比較器と、
制御された負のインピーダンスの大きさに対応するループ制御信号に基づいて駆動電流を出力するように構成される電流駆動回路要素と、
前記共振器に対して駆動電流源をインターフェースするように構成されるＨブリッジ回路要素と、
を含み、前記共振器が前記負のインピーダンスで駆動されるように、正のフィードバックを維持するために前記比較器のクラスＤスイッチング出力が前記Ｈブリッジ回路要素を制御する、前記クラスＤの負のインピーダンス回路要素を含む、前記インダクタンス−データ変換器回路と、
前記駆動電流の時間平均が、定常状態振動を維持するために前記センサの共振器損失を実質的に相殺する前記制御された負のインピーダンスの大きさに対応するように、検出されたセンサ共振状態に基づいて前記ループ制御信号を生成するように構成される、ループ制御回路要素と、
を含み、
それによって、ループフィルタとして前記共振器を含み、前記ループ制御信号が前記ターゲットに対する前記センサの応答を表すセンサ応答データに対応するように、負のインピーダンスを制御する、負のインピーダンス制御ループを確立する、システム。
【請求項６】
請求項５に記載のシステムであって、
前記検出された共振状態が共振器振動振幅に対応し、前記負のインピーダンス制御ループが、共振器振動振幅を制御することによって少なくとも部分的に負のインピーダンスを制御するように構成される、システム。
【請求項７】
請求項６に記載のシステムであって、
前記ループ制御回路要素が、定常状態振動に対応する基準振幅信号に関連する共振器振動振幅における差異に基づいて前記ループ制御信号を提供するように構成される、システム。
【請求項８】
請求項５に記載のシステムであって、
前記電流駆動回路要素が、少なくとも２つのレベルの電流駆動を前記共振器に供給するように構成されるマルチレベル電流駆動回路要素を含み、
前記ループ制御回路要素が、前記電流駆動レベルの間の切り替えを制御する、システム。
【請求項９】
ターゲットに対する共振センサの応答をキャプチャする際に使用可能な方法であって、前記共振センサが、共振インピーダンスと、定常状態振動に対応する共振状態を含む共振状態（共振器振動振幅と共振器振動周波数）とによって特徴付けられる共振器を含み、前記方法が、
クラスＤのＨブリッジ増幅器を用いて前記センサに現れる制御された負のインピーダンスを生成することであって、前記クラスＤのＨブリッジ増幅器が、
共振器振動電圧を受け取り、前記共振器振動周波数に同期した周波数を有するクラスＤスイッチング出力を提供するように構成される比較器と、
制御された負のインピーダンスの大きさに対応するループ制御信号に基づいて駆動電流を出力するように構成される電流駆動回路要素と、
前記共振器に対して駆動電流源をインターフェースするように構成されるＨブリッジ回路要素と、
を含み、前記共振器が前記負のインピーダンスで駆動されるように、正のフィードバックを維持するために前記比較器のクラスＤスイッチング出力が前記Ｈブリッジ回路要素を制御する、前記制御された負のインピーダンスを生成することと、
前記駆動電流の時間平均が、定常状態振動を維持するために前記センサの共振器損失を実質的に相殺する前記制御された負のインピーダンスの大きさに対応するように、検出された共振状態に基づいて負のインピーダンスを制御する前記ループ制御信号を生成することと、
それにより、ループフィルタとして前記共振器を含む負のインピーダンス制御ループを確立することと、
前記センサ応答データが前記ターゲットに対する前記センサの応答に対応するように、前記制御された負のインピーダンスに基づいてセンサ応答データを提供することと、
を含む、方法。
【請求項１０】
請求項９に記載の方法であって、
前記検出された共振状態が共振器振動振幅に対応し、前記負のインピーダンス制御ループが、定常状態振動に対する共振器振動振幅を制御することによって少なくとも部分的に負のインピーダンスを制御するように構成される、方法。
【請求項１１】
請求項９に記載の方法であって、
前記電流駆動回路要素が、前記センサ共振器に対する少なくとも１つのレベルの電流駆動を提供するように構成されるマルチレベル電流駆動回路要素を含み、
前記ループ制御信号を生成することが、前記電流駆動レベルの間の切り換えを制御するマルチレベルループ制御信号を生成することを含む、方法。